(57)【特許請求の範囲】
【請求項１】
撮影レンズを有する第１ブロックと、
前記第１ブロックに回転可能に結合され、表示部を有する第２ブロックと、
前記第１ブロック及び第２ブロックを部分的に覆い、且つ前記第１ブロックに回転可能に結合される第３ブロックと、を備える筐体構造であって、
前記第３ブロックは、フレーム形状に形成され、フレーム部分を除き貫通しており、当該フレーム部分に第１のシャッターキーを設けたことを特徴とする筐体構造。
【請求項２】
前記第１ブロック及び第２ブロックは、前記第３ブロックの前記フレーム部分を除き貫通している領域に収まることを特徴とする請求項１に記載の筐体構造。
【請求項３】
前記第２ブロックに第２のシャッターキーを設けたことを特徴とする請求項１又は２に記載の筐体構造。
【請求項４】
前記第２ブロックの前記表示部が配置されている面であって、当該表示部に隣接した位置に前記第２のシャッターキーを設けるとともに、
前記第３ブロックの当該フレーム部分に前記第１のシャッターキーを設けたことを特徴とする請求項３に記載の筐体構造。
【請求項５】
前記第１ブロックと第３ブロックとを回転可能に結合するヒンジ軸に、前記第３ブロックの当該フレーム部分の前記第１のシャッターキーに電力を供給するための電気的接続部材を通したことを特徴とする請求項４に記載の筐体構造。
【請求項６】
前記電気的接続部材はリード線であることを特徴とする請求項５に記載の筐体構造。
【請求項７】
前記電気的接続部材はスプリングピンであることを特徴とする請求項５に記載の筐体構造。
【請求項８】
前記第３ブロック内に、前記第１のシャッターキーと前記電気的接続部材とを電気的接続するフレキシブル基板を配置したことを特徴とする請求項５から７のいずれか一項に記載の筐体構造。
【請求項９】
前記第３ブロック内に金属フレームを設け、
前記第３ブロックの当該フレーム部分の前記第１のシャッターキーのグランド信号線を前記金属フレームに接続したことを特徴とする請求項５から８のいずれか一項に記載の筐体構造。
【請求項１０】
前記第３ブロックの当該フレーム部分の両側の一方の側に前記第１のシャッターキーと他方の側に第３のシャッターキーを設けるとともに、
前記表示部が縦の使用状態か横の使用状態かを検出する縦横センサを設け、
前記縦横センサによる前記表示部が、横の使用状態の検出時に両側の前記第１のシャッターキーと第３のシャッターキーの一方のみを有効にして他方を無効にし、縦の使用状態の検出時に両側の前記第１のシャッターキーと第３のシャッターキーの両方を有効にする制御回路を備えることを特徴とする請求項４から９のいずれか一項に記載の筐体構造。
【請求項１１】
請求項１から１０のいずれか一項に記載の筐体構造を備えることを特徴とする電子機器。
【発明の詳細な説明】
【技術分野】
【０００１】
本発明は、複数のブロックにより構成される筐体構造と、その筐体構造を備える電子機器に関する。
【背景技術】
【０００２】
カメラは、撮影形態に適した形状が求められている。
すなわち、デジタルカメラ（主に静止画に重点を置いたカメラ）は携帯性が重視されており、その撮影の際に持ちやすい、かつ構えやすい持ち方が、カメラを持って上面のシャッターを押す持ち方となっている。
また、デジタルムービーカメラ（主に動画に重点を置いたカメラ）では、長時間撮影ができ、その撮影の際に疲れず持ちやすい、構えやすい持ち方が、カメラを握って上面のシャッターを押す持ち方となっている。
そして、現在では、デジタルカメラでムービー（動画）が撮影でき、デジタルムービーカメラで静止画が撮影できる機種が多く存在している。
【０００３】
例えば、操作性の向上を図る上で有利な撮像装置が特許文献１に提案されている。
この撮像装置は、カメラ部はグリップ部用ケースの長さ方向の端部に、幅方向に延在する第１の軸線回りに揺動可能に連結され、モニタ部がカメラ部に対して、第１の軸線回りにカメラ部と一体的に揺動可能に連結されるとともに、第１の軸線と直交する第２の軸線回りに揺動可能に連結され、カメラ部の撮影光学系の光軸が第１の軸線上に位置している。そして、所望の被写体が撮影できるようにディスプレイパネルの長さ方向を水平方向に向けた状態で静止させておき、この状態でグリップ部用ケースを第１の軸線回りに揺動しても、カメラ部は回転せず、かつ、撮影光学系の光軸は不動であるため、撮像素子で撮像されディスプレイパネルに表示される映像、すなわち、構図は変化しない。
この特許文献１の撮像装置において、シャッターボタンは、モニタ部用ケースにヒンジ結合されたカメラ部用ケースにヒンジ結合したグリップ部用ケースに設けられている。すなわち、グリップ部用ケースのカメラレンズ部を囲む円筒状ケース部にシャッターボタンが設けられている。
【０００４】
また、折畳状態においても多様な機能を簡単に操作できるカメラ付折畳回動式携帯端末装置が特許文献２に提案されている。
この折畳回動式携帯端末装置は、少なくとも情報表示を行う表示部と一つ以上の側面キーを有する第一筐体と、少なくともカメラ部と一つ以上の側面キーを有する第二筐体とが、開閉方向および直交方向に回転する少なくとも二つの回動自由度をもつヒンジ部により結合されている。そして、第一筐体と第二筐体を互いに開放した開状態から、第一筐体をヒンジ部の回転軸を基準に１８０度回転させて第一筐体の表示部を外側にして重なり合う折畳状態となるとき、第一筐体および第二筐体の互いに異なる側面に配置された側面キーを同じ側に位置するよう構成している。
この特許文献２の折畳回動式携帯端末装置において、シャッターキーは、表示部を有する第一筐体に二軸ヒンジ部を介して結合されてカメラ部を有する第二筐体の側面に設けられている。すなわち、カメラ部を有する第二筐体の側面にシャッターキーが設けられている。
【０００５】
また、携帯時はコンパクトで撮影時は良好な撮影姿勢が得られる小型の画像記憶装置付カメラが特許文献３に提案されている。
この画像記憶装置付カメラは、第１の本体と第２の本体をカメラ光軸と直交する回転面に設けられた回転軸部を介して回転可能に接続し、第１の本体の側面にヒンジ部を介して開閉可能にモニタ部を取り付けている。そして、モニタ部が開いた状態で、第１の本体とモニタ部とを第２の本体に対して回転させ、モニタ部が開いた方向と対向する第２の本体の側面をグリップ部とする。
この特許文献３の画像記憶装置付カメラにおいて、静止画ボタンと動画ボタンは、カメラレンズを有して開閉可能なモニタ部を備える第１の本体に回動可能に接続した第２の本体に設けられている。すなわち、カメラレンズを有する第２の本体の上面に静止画ボタンが設けられて、同じく第２の本体の後面に動画ボタンが設けられている。
【先行技術文献】
【特許文献】
【０００６】
【特許文献１】特開２００８−２４４９３０号公報
【特許文献２】特開２００６−５００５７号公報
【特許文献３】特開２００６−２８７２８８号公報
【発明の概要】
【発明が解決しようとする課題】
【０００７】
しかし、デジタルカメラでは、長時間ムービー撮影時も静止画撮影時と同様の持ち方でしか撮影できず、デジタルムービーカメラでは、静止画撮影時も長時間ムービー撮影時と同様の持ち方でしか撮影できない。
【０００８】
また、前述したように、特許文献１の撮像装置は、グリップ部用ケースのカメラレンズ部を囲む円筒状ケース部にシャッターボタンが設けられ、特許文献２の折畳回動式携帯端末装置は、カメラ部を有する第二筐体にシャッターキーが設けられ、特許文献３の画像記憶装置付カメラは、カメラレンズを有する第２の本体に静止画ボタンと動画ボタンが設けられている。
すなわち、そのいずれにおいても、カメラレンズ側にシャッターがあり、静止画撮影時に持ちやすくて構えやすく、長時間ムービー撮影時にも疲れず持ちやすくて構えやすい持ち方で撮影することは不可能であった。
【０００９】
本発明の課題は、複数のブロックにより構成される筐体構造において、撮影時に疲れず構えやすい持ち方で撮影できるようにすることである。
【課題を解決するための手段】
【００１０】
以上の課題を解決するため、本発明の筐体構造は、
撮影レンズを有する第１ブロックと、
前記第１ブロックに回転可能に結合され、表示部を有する第２ブロックと、
前記第１ブロック及び第２ブロックを部分的に覆い、且つ前記第１ブロックに回転可能に結合される第３ブロックと、を備える筐体構造であって、
前記第３ブロックは、フレーム形状に形成され、フレーム部分を除き貫通しており、当該フレーム部分に第１のシャッターキーを設けたことを特徴とする。
【発明の効果】
【００１１】
本発明によれば、複数のブロックにより構成される筐体構造で、撮影時に疲れず構えやすい持ち方で撮影することができる。
【図面の簡単な説明】
【００１２】
【図１】本発明を適用した電子機器の一実施形態の構成を示すもので、カメラの使用状態を示した図（ａ）〜（ｄ）である。
【図２】図１のカメラによる撮影状態を示すもので、動画撮影時を示した図（ａ）と静止画撮影時を示した図（ｂ）である。
【図３】図２（ｂ）の静止画撮影時のカメラを撮影レンズ側から見た正面図（ａ）とその背面図（ｂ）である。
【図４】図３（ｂ）の使用状態のカメラの斜視図である。
【図５】図１（ｂ）の使用状態のカメラを示すもので、第３ブロックを透視状態で示した斜視図である。
【図６】図４の使用状態のカメラを示すもので、第３ブロックを透視状態で示した斜視図である。
【図７】図６の矢印Ａ部の拡大図である。
【図８】実施形態２を示すもので、図１（ａ）の状態のカメラから第１ブロックの撮影レンズ側と第２ブロックの表示部及びカバーを外した状態での部品構成を示した分解斜視図である。
【図９】図８のＦＰＣ及びその押え板金とスプリングピンを分解して示した拡大図である。
【図１０】図８の板金固定用パーツ及びスプリングピン受け用板金を分解して示した拡大図である。
【図１１】図８の部品の組立状態での要部を示した縦断面図である。
【図１２】第３ブロックのシャッターキーの信号線の回路構成を示した概略構成図である。
【図１３】図１２の第３ブロックの信号ライン及びＧＮＤラインを示す斜視図である。
【図１４】図１２の第３ブロックの信号ライン及びＧＮＤラインの第１ブロックへの経路を示す詳細図である。
【図１５】第３ブロックの両側のシャッターキーの制御回路図である。
【発明を実施するための形態】
【００１３】
以下、図を参照して本発明を実施するための形態を詳細に説明する。
（実施形態１）
図１から図４は本発明を適用した電子機器の一実施形態の構成としてカメラを示すもので、１はレンズブロック、２は表示ブロック、３はフレームブロック、４は撮影レンズ、５は表示部、６・７はシャッターキーである。
【００１４】
図示のように、カメラの筐体は、撮影レンズ４を有するレンズブロック１（第１ブロック）と、液晶表示による表示部５及びその隣に並ぶボタンによるシャッターキー６を有する表示ブロック２（第２ブロック）と、これら二つのレンズブロック１及び表示ブロック２の周囲を覆うコ字型のフレーム形状に形成したフレームブロック３（第３ブロック）とからなる三つのブロックにより構成されている。
なお、フレームブロック３の外周で上面にもボタンによるシャッターキー７が設けられている。
【００１５】
そして、レンズブロック１に対し表示ブロック２とフレームブロック３が二軸ヒンジ部を介してそれぞれ回転可能に結合されている。
すなわち、レンズブロック１に対して、第１ヒンジ部を介して表示ブロック２が回転可能に結合されるとともに、第２ヒンジ部を介してフレームブロック３が回転可能に結合されている。
【００１６】
二軸ヒンジ部は、レンズブロック１に表示ブロック２を結合する第１ヒンジ部の回転軸線と、レンズブロック１にフレームブロック３を結合する第２ヒンジ部の回転軸線が互いに直交している。
【００１７】
従って、レンズブロック１に対し表示ブロック２が第１ヒンジ部の回転軸線を中心に回転する。
また、レンズブロック１及び表示ブロック２に対しフレームブロック３が第２ヒンジ部の回転軸線を中心に回転する。
【００１８】
具体的には、レンズブロック１及び表示ブロック２に対しフレームブロック３は、図１（ａ）〜（ｄ）に示すように、３６０度以上フリーに回転し、使用時にフレームブロック３の角度を変えることで様々なスタイルで撮影ができる。
そして、例えばフレームブロック３を開いて三脚スタンドのように立てて撮影したり、フレームブロック３のコ字型フレーム形状を活かして壁面などのフックに掛けて撮影したり、フレームブロック３をグリップしてカムコーダーのような持ち方でも撮影ができる。
【００１９】
特に、図２（ａ）に示すように、フレームブロック３をグリップしてカムコーダーのような持ち方で、フレームブロック３上面のシャッターキー７を指で押して、表示部５を見ながら長時間ムービー撮影することができる。
【００２０】
また、フレームブロック３でレンズブロック１及び表示ブロック２の周囲を覆った状態では通常のカメラスタイルで撮影ができる。
【００２１】
すなわち、図１（ａ）、図２（ｂ）、図３及び図４に示すように、フレームブロック３でレンズブロック１及び表示ブロック２の周囲を覆った状態での通常のカメラスタイルと同様の持ち方で、静止画撮影することができる。
【００２２】
以上、実施形態のカメラによれば、レンズブロック１及び表示ブロック２と、その周囲を覆うフレームブロック３との三つのブロックにより構成される筐体構造であって、表示ブロック２の表示部５に隣接してシャッターキー６を設けるとともに、フレームブロック３の外周にシャッターキー７を設けることにより、静止画撮影時に持ちやすくて構えやすく、長時間ムービー撮影時にも疲れず持ちやすくて構えやすい持ち方で撮影することができる。
【００２３】
図５は図１（ｂ）の使用状態のカメラを示すもので、フレームブロック３は、透視状態で示したように、金属（ステンレス）フレーム３１の外周をフレーム樹脂カバー３２で覆った構造となっている。金属フレーム３１は、レンズブロック１に対し第２ヒンジ軸１２を介して３６０度以上フリー回転可能に結合されている。
【００２４】
そして、第２ヒンジ軸１２は中空状で、その中空内には、図６及び図７に示すように、２本のリード線１３が配線されて外部に導出されている。この２本のリード線１３は、金属フレーム３１の外周面に貼り付けたＦＰＣ（フレキシブル基板）３３に電気的接続されている。このＦＰＣ３３上にボタンによるシャッターキー７が組み付けられている。
【００２５】
このように、ＦＰＣ３３及びリード線１３を配線することによって、フレームブロック３の上面にもシャッターキー７を置くことができ、フレームブロック３が３６０度以上フリーに回転しても、リード線１３が断線せず、静止画を撮影する際により違和感なく通常のデジタルカメラと同じ方法でシャッターキー７を押すことができる。
【００２６】
（変形例）
また、フレームブロック３のシャッターキー７は、上面側だけでなく、下面側にも同様に設ければ、レンズブロック１と表示ブロック２との回転機構により、撮影レンズ４や表示部５の上下が反転しても、上下を意識せずにシャッターキー７を押せるものとなる。
そして、その上下のシャッターキー７において、一方を動画開始キーに、他方を静止画開始キーに割り当てると、フレームブロック３を回転したときに、動画に最適なスタイルのときは、自然に人差指でシャッターキー７を押して動画撮影ができる。
さらに、その動画開始キーと静止画開始キーにおいて、例えばそのキーや周辺に配置したアイコンなどの色を変えると、動画に最適なスタイルは、どちらを上にして、フレームブロック３を回転させればいいかが分かりやすい。
また、シャッターキー７を、ボタンではなく、近接センサを配置し、近づくことによってシャッターが切れる構造としてもよい
【００２７】
（実施形態２）
次に、図８は図１（ａ）の状態のカメラからレンズブロック１の撮影レンズ４側と表示ブロック２の表示部５及び背面カバーを外した状態での部品構成を分解して示したもので、前述した実施形態１と同様、７はシャッターキー、１２は第２ヒンジ軸、３１は金属フレーム、３２はフレーム樹脂カバー、３３はＦＰＣであって、１０はヒンジプレート、１１は第１ヒンジ軸、１４はフレーム固定用ネジ、１５はスプリングピン、１６は板金固定用樹脂パーツ、１７はスプリングピン受け用板金、２１はマグネシウムフレーム、２２はメイン基板、３４はＦＰＣ押さえ板金、３５は樹脂キャップ、７１はシャッタースプリング、７２はシャッタースイッチである。
【００２８】
図示のように、シャッターキー７は、シャッタースプリング７１を介して、ＦＰＣ３３の一端部上に搭載したシャッタースイッチ７２に組み付けられる。
また、ＦＰＣ３３の他端部上には、ＦＰＣ押さえ板金３４が重ねられて、このＦＰＣ押さえ板金３４は、２本のフレーム固定用ネジ１４で金属フレーム３１に固定される。
そして、ＦＰＣ押さえ板金３４の突出端にスプリングピン１５が重ねられて、このスプリングピン１５は、円筒状の樹脂キャップ３５を介して、第２ヒンジ軸１２の中空部内に挿入される。
【００２９】
図９は図８のＦＰＣ３３及びＦＰＣ押さえ板金３４とスプリングピン１５を分解して拡大したものである。
【００３０】
前記レンズブロック１内のフレームを兼ねた金属（ステンレス）製のヒンジプレート１０と、前記表示ブロック２内のシールドケースを兼ねたマグネシウムフレーム２１とが第１ヒンジ軸１１を介して回転可能に結合される。マグネシウムフレーム２１にメイン基板２２が組み付けられる。
また、前記レンズブロック１内のヒンジプレート１０と前記フレームブロック３内の金属フレーム３１とが第２ヒンジ軸１２を介して回転可能に結合される。
そして、ヒンジプレート１０に、板金固定用樹脂パーツ１６を介してスプリングピン受け用板金１７が組み付けられ、スプリングピン受け用板金１７はスプリングピン１５の先端に接触状態となる。
【００３１】
図１０は図８の板金固定用樹脂パーツ１６及びスプリングピン受け用板金１７を分解して拡大したものである。
【００３２】
以上により、前記フレームブロック３の上下両面にシャッターキー７をそれぞれ設ける。
【００３３】
図１１は図８の部品の組立状態での要部を縦断面で示したものである。
【００３４】
以上において、図１２はフレームブロック３の上下のシャッターキー７の信号線回路の概略構成を示したものである。
図示のように、ＧＮＤラインＬＧは、金属フレーム３１、ヒンジプレート１０、マグネシウムフレーム２１を介してメイン基板２２に接続する。
その他の１ＳＴ・２ＮＤ信号線Ｌ１・Ｌ２は、スプリングピン１５を介してサブ基板４１、メイン基板２２に接続する。
以上により、各信号線を断線せずにフレームブロック３に搭載することができる。
【００３５】
図１３はフレームブロック３の信号ライン及びＧＮＤラインを示す斜視図である。
すなわち、具体的には、図示の通り、ＧＮＤラインＬＧは、シャッタースイッチ７２、ＦＰＣ３３、ＦＰＣ押さえ板金３４、フレーム固定用ネジ１４、ヒンジプレート１０、マグネシウムフレーム２１を経て、メイン基板２２に接続される。
また、１ＳＴ・２ＮＤ信号線Ｌ１・Ｌ２は、シャッタースイッチ７２、ＦＰＣ３３、スプリングピン１５、スプリングピン受け用板金１７、及び図示しないリード線を経て、メイン基板２２に接続される。
【００３６】
ここで、スプリングピン１５の経由においては、１ＳＴ・２ＮＤの２信号を伝達しなければならない。
これに対し、図１２及び図１３の通り、ＦＰＣ３３上にチップ抵抗３６を搭載することで、第２ヒンジ軸１２の軸穴を通す前に信号線を１つに集約し、各信号の電位差を認識させることで、１本のスプリングピン１５で伝達させることができる。
【００３７】
図１４はフレームブロック３の信号ライン及びＧＮＤラインの表示ブロック２への経路を示す詳細図である。
図示のように、ＧＮＤラインＬＧとその他の１ＳＴ・２ＮＤ信号線Ｌ１・Ｌ２がショートしないよう、スプリングピン１５を通す第２ヒンジ軸１２の軸穴には、絶縁用樹脂キャップ３５を介設している。また、スプリングピン受け用板金１７には、ヒンジとの絶縁用板金固定用樹脂パーツ１６を介設している。
【００３８】
さらに、図１２に示した通り、サブ基板４１上に縦横センサ４２を搭載することで、撮影の際の横撮り／縦撮りを検出し、フレームブロック３上下のシャッターキー７に対し、横撮りする際は縦横センサ４２で上のシャッターキー２のみを有効にし、縦撮りする際は両方のシャッターキー７が有効となるような仕組みを可能とする。
【００３９】
図１５はフレームブロック３の両側のシャッターキー７の制御回路で、３６、３７ｃ、３７ｄ、及び３８はチップ抵抗、３９はＡ／Ｄ変換器である。使用者がシャッターキー７を操作すると、シャッタースイッチ７２のスイッチａ〜ｄのそれぞれのＯＮ／ＯＦＦの状態が変化し、この状態に応じたアナログ信号がＡ／Ｄ変換器に入力される。すなわち、チップ抵抗３８と、３６、３７ｃ、３７ｄとの分圧に応じたレベル、又はＧＮＤレベルがアナログ信号として入力される。また、Ａ／Ｄ変換器は、入力されたアナログ信号のレベルに応じたデジタル信号を出力するので、メイン基板２２に搭載された図示しないカメラの制御部は、シャッタースイッチ７２の状態を判別することが可能である。
【００４０】
以上、実施形態２によっても、前述した実施形態１と同様の作用効果が得られる。
【００４１】
（他の変形例）
以上の実施形態においては、カメラとしたが、本発明はこれに限定されるものではなく、カメラを備える携帯電話などの電子機器であってもよい。
また、実施形態では、レンズブロックにフレームブロックを回転可能に結合したが、表示ブロックにフレームブロックを回転可能に結合してもよい。
さらに、実施形態では、表示部に隣接してシャッターキーを設けたが、表示部のタッチパネルにシャッターキーを設けてもよい。
また、各ブロックの形状等も任意であり、その他、具体的な細部構造等についても適宜に変更可能であることは勿論である。
【００４２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
撮影レンズを有する第１ブロックと、
前記第１ブロックに回転可能に結合され、表示部を有する第２ブロックと、
前記第１ブロック及び第２ブロックを部分的に覆い、且つ前記第１ブロックに回転可能に結合される第３ブロックと、を備える筐体構造であって、
前記第２ブロックと第３ブロックにシャッターキーをそれぞれ設けたことを特徴とする筐体構造。
＜請求項２＞
前記第２ブロックの前記表示部に隣接して前記シャッターキーを設けるとともに、
前記第３ブロックの外周に前記シャッターキーを設けたことを特徴とする請求項１に記載の筐体構造。
＜請求項３＞
前記第１ブロックと第３ブロックとを回転可能に結合するヒンジ軸に、前記第３ブロック外周の前記シャッターキーに電力を供給するための電気的接続部材を通したことを特徴とする請求項１または２に記載の筐体構造。
＜請求項４＞
前記電気的接続部材はリード線であることを特徴とする請求項３に記載の筐体構造。
＜請求項５＞
前記電気的接続部材はスプリングピンであることを特徴とする請求項３に記載の筐体構造。
＜請求項６＞
前記第３ブロック内に、前記シャッターキーと前記電気的接続部材とを電気的接続するフレキシブル基板を配置したことを特徴とする請求項３から５のいずれか一項に記載の筐体構造。
＜請求項７＞
前記第３ブロック内に金属フレームを設け、
前記第３ブロック外周の前記シャッターキーのグランド信号線を前記金属フレームに接続したことを特徴とする請求項３から６のいずれか一項に記載の筐体構造。
＜請求項８＞
前記第３ブロックの外周の両側に前記シャッターキーを設けるとともに、
前記表示部が縦の使用状態か横の使用状態かを検出する縦横センサを設け、
前記縦横センサによる前記表示部が、横の使用状態の検出時に前記両側のシャッターキーの一方のみを有効にして他方を無効にし、縦の使用状態の検出時に前記両側のシャッターキーの両方を有効にする制御回路を備えることを特徴とする請求項２から７のいずれか一項に記載の筐体構造。
＜請求項９＞
請求項１から８のいずれか一項に記載の筐体構造を備えることを特徴とする電子機器。
【符号の説明】
【００４３】
１  第１ブロック
１０  ヒンジプレート
１１  第１ヒンジ軸
１２  第２ヒンジ軸
１３  リード線
１４  フレーム固定用ネジ
１５  スプリングピン
１６  板金固定用樹脂パーツ
１７  スプリングピン受け用板金
２  第２ブロック
２１  マグネシウムフレーム
２２  メイン基板
３  第３ブロック
３１  金属フレーム
３２  フレーム樹脂カバー
３３  ＦＰＣ
３４  ＦＰＣ押さえ板金
３５  樹脂キャップ
３６  チップ抵抗
３６  チップ抵抗
３７ａ  チップ抵抗
３７ｂ  チップ抵抗
３８  チップ抵抗
３９  Ａ／Ｄ変換器
４  撮影レンズ
４１  サブ基板
４２  縦横センサ
５  表示部
６  シャッターキー
７  シャッターキー
７１  シャッタースプリング
７２  シャッタースイッチ
Ｌ１  １ＳＴ信号線
Ｌ２  ２ＮＤ信号線
ＬＧ  ＧＮＤライン
【図１】
0005910202.tif 000002
【図２】
0005910202.tif 000003
【図３】
0005910202.tif 000004
【図４】
0005910202.tif 000005
【図５】
0005910202.tif 000006
【図６】
0005910202.tif 000007
【図７】
0005910202.tif 000008
【図８】
0005910202.tif 000009
【図９】
0005910202.tif 000010
【図１０】
0005910202.tif 000011
【図１１】
0005910202.tif 000012
【図１２】
0005910202.tif 000013
【図１３】
0005910202.tif 000014
【図１４】
0005910202.tif 000015
【図１５】
0005910202.tif 000016